(57)【要約】      （修正有）【課題】第１刃具と、第２刃具と、第１保護カーバーと、一対の可動プレートと、一つの弾性素子と、第２保護カーバーとを備え、レイヤー感を有するヘアトリマーを提供する。【解決手段】第１刃具１１と、第２刃具１２とを互いに枢接し、第１刃具１１は第１保護カーバー１３に覆われ、その先端部に第１くし１３１を設け、可動プレート１４はそれぞれ第２刃具１２に備える２つの外側に枢接し、第１刃具１１と協働を形成し、第２保護カーバー１６は一対の可動プレートの先端部に設けられ、第２保護カーバー先端部の第２くし１６１は第１くしと切り刃１１１との間に位置する。使用時は、可動プレート１４と第２くし１６１とを協働し、長さ違いの髪の毛を屈折させ固定してから切除することで、長さが違うレイヤー感を形成し、カット施術時に根元を引っ張られる不快感がない。【選択図】図１Ａ
0003184833.tif 000002
【実用新案登録請求の範囲】
【請求項１】
レイヤー感覚効果が得られるヘアトリマーであって、
一端は切り刃を設けられ、他端は第１枢接部を設け、２つの側壁にてそれぞれ支えブロックと、制限ブロックとを設け、前記支えブロックは前記側壁の平面に突き出していて、かつ前記制限ブロックは前記第１枢接部の一側に隣接する第１刃具と、
一端は前記切り刃に対応して収容溝を設けられ、他端は前記第１枢接部に対応して第２枢設部を設けることによって、前記第１刃具とを一体に枢接して置き、常時に弾性開きを形成し、２つの側壁にてそれぞれ第３枢設部と、第１固定穴と、第２固定穴とを設けられ、前記第１固定穴は前記制限ブロックに対応して、前記制限ブロックを内部に収容し、前記第２固定穴の一側は突起部を設ける第２刃具と、
前記第１刃具の外部に覆われ、前記切り刃に対応して少なくとも第１くしを設けられ、前記第１くしの端部は複数の第１くしの歯を成形しており、前記第１くしの歯の間は、それぞれ深さの異なる第１くしの溝を有する第１保護カーバーと、
中央部は前記第３枢設部に対応して第４枢設部を設けられ、それぞれ前記第３枢設部にて自在に枢設していて、一端は通り穴と制限プレートとを設けられ、もう一端は組付け部を設け、前記第１刃具に備える一対の前記支えブロックは対応して、上部の側縁に突き上げて協働を形成する一対の可動プレートと、
前記第１刃具と第２刃具との間に設けられ、一端はそれぞれ前記一対の可動プレートに備える前記通り穴に貫き、他端は前記第２刃具に固定していて、弾性付勢力量を利用して一対の前記可動プレートを上向きに突き上げる弾性素子と、
一対の前記可動プレートの前記組付け部の間に連結され、前記収容溝に対応して、少なくとも一つの第２くしを設けられ、前記第２くしの端部にて複数の第２くしの歯を形成し、第二梳齒第２くしの歯の間にそれぞれ深さの異なる第２くしの歯を有する第２保護カーバーと、を備えるヘアトリマー。
【請求項２】
前記切り刃の中央部が両側に突き出す弧形を形成し、前記収容溝は連続した鋸歯を形成していて、かつ中央部の鋸歯の深さは両側の前記鋸歯の深さより小さいことを特徴とする、請求項１記載のレイヤー感覚効果が得られるヘアトリマー。
【請求項３】
前記切り刃の両側にそれぞれ第１係止部を設けられ、前記収容溝の両側にそれぞれ第２係止部を設け、前記第１係止部と前記第２係止部が互いに引き合わせて密閉を形成し、髪の毛が受力により滑り出しを防止することを特徴とする、請求項２記載のレイヤー感覚効果が得られるヘアトリマー。
【請求項４】
前記第１留め金の一端は前記第１刃具に接続し、もう一端は内側に引き込んで屈折し延ばして第１突き上げ面を形成され、前記第２留め金は前記第２刃具に接続し、他端は内側に引き込んで屈折し延ばして第２突き上げ面を形成され、前記第１突き上げ面と前記第２突き上げ面は互いに突き上げていて、前記第１留め金と前記第２留め金の弾性付勢力量を用いて、前記第１刃具が前記第２刃具に対して開放状態を形成することを特徴とする、請求項３記載のレイヤー感覚効果が得られるヘアトリマー。
【請求項５】
前記第１固定穴と前記第２固定穴とも弧形を形成していて、弧形の開口方向は互いに相反して設けることを特徴とする、請求項３記載のレイヤー感覚効果が得られるヘアトリマー。
【請求項６】
前記可動プレートは弧形を形成していて、前記制限プレートと前記組付け部はそれぞれ延ばして、各前記可動プレートの両面に設けることを特徴とする、請求項３記載のレイヤー感覚効果が得られるヘアトリマー。
【請求項７】
前記第１保護カーバーと前記第２保護カーバーはプラスチック部材を一体成形にて仕上げることを特徴とする、請求項３記載のレイヤー感覚効果が得られるヘアトリマー。
【請求項８】
前記第１保護カーバーの上面は指を通すために指穴を設けられていることを特徴とする、請求項７記載のレイヤー感覚効果が得られるヘアトリマー。
【請求項９】
前記第１保護カーバーの第１くしと前記第２保護カーバーの前記第２くしとも複数に実施する態様において、前記第１くしと前記第２くしは等間隔に交差して設けることを特徴とする、請求項８記載のレイヤー感覚効果が得られるヘアトリマー。
【請求項１０】
前記第１保護カーバーの第１くしと前記第２保護カーバーの前記第２くしとも複数に実施する態様において、前記第１くしと前記第２くしは非等間隔に交差して設けることを特徴とする、請求項１記載のレイヤー感覚効果が得られるヘアトリマー。
【考案の詳細な説明】
【技術分野】
【０００１】
本考案は散髪挟みに関し、特に髪の毛を切除するときに根元を引っ張る不快感はなく、しかも切除した後にレイヤー感を有するヘアトリマーに関する。
【背景技術】
【０００２】
散髪のときには、理容師が専用の鋏、電気バリカンまたは上下からはさみ切るようなヘアトリマーなどの理容道具を用いて、ヘアスタイルに基づいて髪の毛のトリミングを行われる。
【０００３】
一般の散髪専用鋏の切り刃がむき出し状になっていて非常に鋭いため、保管ならび安全面には特別な注意を払う必要がある。電気バリカンは電気モーターと交差に動作するブレードとを結合して、髪の毛の切除を速やかに行うことができる。角刈りまたは大量な髪の毛の切除に利用するときは、切除スピードが速いため、細部まで精確に制御することはできない。そのため、理容業者は前述両者を併用して施術することがほとんどである。前述２種類の理容道具は使用のときに、理容師が切除したい髪の毛を手で挟み込むかまたはくしであしらえた後に切除する。しかし、鋏と電気バリカンのブレードともは側面方向からはさみ切る方式で動作しており、片方向から外部に押し出して髪の毛を切除する仕組みから、切り口が平らではなく傾斜面を形成するため、消費者が散髪の後に毛先がギザギザ滑らかでない感じすることが一般的である。
【先行技術文献】
【特許文献】
【０００４】
【特許文献１】台湾新型専利Ｍ３４９８３２号
【考案の概要】
【考案が解決しようとする課題】
【０００５】
この種のヘアトリマーは一対のはさみ板からなり、係る一対のはさみ板の端部側にそれぞれ切り刃を設けられ、一対のはさみ板はそれぞれ弾性素子を有し、組合せた後に一対の弾性素子が向かい合わせていて、必要な弾性が提供される。使用するときは、髪の毛を２つの切り刃の間に置き、一対のはさみ板に外力を加えることによって、２つの切り刃を引き合わせて切除する。両方向に押し出して髪の毛を切除する方式を取られており、上下の刃と髪の毛に対して垂直状を形成した後、切り口に平らな平面を形成されるため、手で毛先を触れて見ると、滑らかさを有し違和感はない。しかし、この種のヘアトリマーでは、髪の毛の切除位置、長さおよびレイヤーの厚さをうまく制御できず、カットした後の毛先があまりも揃えすぎて、美観性を欠ける。
【０００６】
そのため、かつて考案人が出願し交付受けた台湾新型専利（実用新案）Ｍ３４９８３２号（特許文献１）毛髪トリマーにおいて、使用するときは、まず刃部によって髪の毛を挟み込んで固定した後に、くし装置を用いて、髪の毛を挟み込んで屈折させる。髪の毛を屈折することには長さの違いによりレイヤー感を形成できるが、施術のときに髪の毛の根元部を引っ張られる不快感を生じるため、改善の必要がある。
【課題を解決するための手段】
【０００７】
本考案の一目的はレイヤー感覚効果が得られるヘアトリマーを提供することである。第１保護カーバーの第１くしと第２保護カーバーの第２くしとを用いて、髪の毛を異なる長さに屈折させて固定した後に切除することによって、自然に異なる長さのレイヤー感覚を形成することができる。第２保護カーバーは一対の可動プレートと協働を形成し、係る可動プレートはさらに第１刃具と第２刃具とを協働する。使用するときは、第１くしと第２くしによって、髪の毛を挟み込んで固定した後に、髪の毛を切除するため、根元部を引っ張る不快感はなく、操作が非常に便利である。
【０００８】
前述目的を達成するため、本考案のレイヤー感覚効果が得られるヘアトリマーは、一端に切り刃を設けられ、他端は第１枢接部を設け、中央部を屈折して第１留め金を設けていて、２つの側壁にてそれぞれ支えブロックと、制限ブロックとを設けられ、支えブロックは側壁の平面に突き出していて、制限ブロックは第１枢接部の一側に隣接する第１刃具と、一端は切り刃に対応して収容溝を設けられ、他端は第１枢接部に対応して第２枢設部を設けることによって、第１刃具とを一体に枢接して置き、中央部を屈折して第２留め金を形成し、第２留め金と、第１留め金とを互いに引き寄せることにより、第１刃具とを常時に開き状態が維持され、２つの側壁にてそれぞれ第３枢設部と、第１固定穴と、第２固定穴とを設けられ、第１固定穴は固定ブロックに対応していて、かつ固定ブロックをその内部にて自在に活動できるように収容して置き、第２固定穴の一側に突起部を設ける第２刃具と、第１刃具の外部に覆われ、切り刃に対応して少なくとも第１くしを設けられ、第１くしの端部に複数の第１くしの歯を形成していて、第１くしの歯はそれぞれ深さが異なる第１くしの溝を形成する第１保護カーバーと、中央部は第３枢設部に対応して第４枢設部を設けられ、それぞれ自在に第３枢設部に枢設し、一端は通り穴と制限プレートとを設けられ、他端は組付け部を設け、第１刃具に備える一対の支えブロックは上側縁に突き上げて協働を形成する一対の可動プレートと、第１刃具と第２刃具との間に設けられ、一端はそれぞれ一対の可動プレートに備える一対の通り穴に貫き、他端は第２刃具に固定され、弾性付勢力量を用いて、可動プレートを上に突き上げる弾性素子と、一対の可動プレートに備える組付け部の間に接続され、収容溝に対応して少なくとも第２くしを設けられ、第２くしの端部にて複数の第２くしの歯を形成し、第２くしの歯の間にて深さがそれぞれ異なる第２くしの溝を形成する第２保護カーバーと、を備える。
【０００９】
使用するときは、まず鷲掴みの髪の毛を第１刃具と第２刃具との間に取り付けて置き、引き続き、第１保護カーバーと第２刃具とを操作し相対に閉合運動によって、髪の毛が切り刃の押し出しにより、収容溝にて均一に分散すると同時に、一対の可動プレートは支えブロックの協働により、いち早く上に突き上げて、第１保護カーバーと第２保護カーバーとが引き寄せを形成し、第１くしと第２くしに備える深さが異なる第１くしの溝と第２くしの溝を用いて、浅い第１くしの溝と第２くしの溝に対応する髪の毛の屈折度を大きく、深い第１くしの溝と第２くしの溝に対応する髪の毛の屈折度を小さくして置き、同じ切除面にて切除した後、自然に異なる長さのレイヤー感覚が形成される。
【００１０】
一実施例において、本考案の切り刃は中央部が両側に突き出して弧形を形成し、収容溝は連続した鋸歯を形成していて、中央部の鋸歯の深さは両側の鋸歯の深さより浅く、切り刃の両側はそれぞれ第１係止部を設け、収容溝の両側にそれぞれ第２係止部を設け、第１係止部と第２係止部が互いに引き寄せて密閉状を形成し、髪の毛が受力により滑り出すことを防止する。さらに、第１留め金の一端は第１刃具に接続していて、他端は内側に屈折して第１突き上げ面を形成し、第２留め金の一端は第２刃具に接続し、他端は内側に屈折して第２突き上げ面を形成し、第１突き上げ面と第２突き上げ面が互いに突き上げていて、第１留め金と第２留め金の弾性付勢力量を用いて、第１刃具が第２刃具に対して開放状態を形成する。このほか、第１固定穴と第２固定穴とも弧形を形成していて、弧形の開口部は互いに反対方向に設けられている。可動プレートは弧形を形成し、制限プレートと組付け部はそれぞれ延ばして、各可動プレートの両面に設けられている。
【００１１】
一実施例において、第１保護カーバーと第２保護カーバーは、プラスチック部材を一体成形して仕上げられる。施術するとき指を通すために、第１保護カーバーの上面に指穴を設けられている。
【００１２】
一実施例において、第１保護カーバーの第１くしと第２保護カーバーの第２くしとも複数に有するときは、第１くしと第２くしは等間隔に交差して設けられ、１回の挟み込みでもって、髪の毛を複数回に屈折してレイヤー感覚効果を向上できる。
【図面の簡単な説明】
【００１３】
【図１Ａ】本考案の好ましい実施例の立体分解図である。
【図１Ｂ】本考案もう一つの実施態様の立体分解図である。
【図２】本考案の好ましい実施例における組立後の立体外観図である。
【図３】本考案の好ましい実施例において、操作を示す態様図（その１）である。
【図４】本考案の好ましい実施例において、操作を示す態様図（その２）である。
【図５】本考案の好ましい実施例において、操作を示す態様図（その３）である。
【図６】本考案の好ましい実施例において、操作を示す態様図（その４）である。
【図７】１段式の第１保護カーバーと第２保護カーバーを取り付けたとき、髪の毛が屈折状態を示す態様図である。
【図８】２段式の第１保護カーバーと第２保護カーバーを取り付けたとき、髪の毛が屈折状態を示す態様図である。
【図９】３段式の第１保護カーバーと第２保護カーバーを取り付けたとき、髪の毛が屈折状態を示す態様図である。
【図１０】髪の毛が各段の第１保護カーバーと第２保護カーバーによって切除された後の長さ比較図である。
【考案を実施するための形態】
【００１４】
本考案の内容のさらなる理解を図るため、以下にて図面と合わせて説明する。ご参照ください。
【００１５】
図１Ａ、１Ｂおよび２、本考案による好ましい実施例の立体分解図と組立後の立体外観図を参照する。図に示すように、本考案のレイヤー感覚効果が得られるヘアトリマー１は第１刃具１１と、第２刃具１２と、第１保護カーバー１３、一対の可動プレート１４と、一つの弾性素子１５と、第２保護カーバー１６と、を備えており、鷲掴みの髪の毛２を挟み込んで固定して切除に用いる。
【００１６】
そのうち、第１刃具１１は金属部材をプレス加工により折り曲げて仕上がり、第１刃具１１の一端は切り刃１１１を設けられ、切り刃１１１の中央が両側の弧形部を突き出すスタイルになっていて、切り刃１１１の両側はそれぞれ第１係止部１１１１を設け、第１刃具１１の他端は第１枢接部１１２を設ける。第１刃具１１は２つの側壁に備える支えブロック１１４と、制限ブロック１１５とを設けられ、支えブロック１１４は側壁の表面に突き出でいて、制限ブロック１１５は第１枢接部１１２の一側に隣接されている。
【００１７】
第２刃具１２も同じく金属部材をプレスにより折り曲げて仕上がり、第２刃具１２の一端部は切り刃１１１に対応して、収容溝１２１を設けられている。図に示すように、収容溝１２１は連続した鋸歯状を形成していて、かつ中央部の鋸歯の深さは両側の鋸歯の深さより小さいかまたは等しく、収容溝１２１の両側にそれぞれ第２係止部１２１１を設けられ、第１係止部１１１１と第２係止部１２１１とを引き合わせた後に密閉状を形成し、髪の毛の受力により滑り出すことを避けることができ、髪の毛は切り刃１１１の進みによって各鋸歯に均一分散される。さらに、第２刃具１２のもう一端は第１枢接部１１２に対応して、第２枢設部１２２を設けられ、第２刃具１２と第１刃具１１とを一体に枢接して置き、常時に弾性開きを形成する。第２刃具１２に備える２つの側壁にてそれぞれ第３枢設部１２４と、第１固定穴１２５と、第２固定穴１２６とを設けられ、第１固定穴１２５は制限ブロック１１５に対応して設けられ、制限ブロック１１５を内部にて自在に活動できるように収容して置き、第２固定穴１２６の一側は、突起部１２６１を設けられている。このほか、第１固定穴１２５と第２固定穴１２６とも弧形を形成し、弧形の開口部は互いに反対方向に設けられている。
【００１８】
さらに、本考案の第１刃具１１と第２刃具１２の弾性開き動作は以下に示す２つの手段が採用されている。一つは製造するときに一体成形した留め金を使用し、図１Ａに示すように、第１刃具１１の中央部に第１留め金１１３を設けられ、第１留め金１１３の一端は第１刃具１１に接続し、他端は内側に屈折し第１突き上げ面１１３１を形成し、第２刃具１２の中央部に第２留め金１２３を設けられ、第２留め金１２３の一端は第２刃具１２に接続し、他端は内側に屈折して、第２突き上げ面１２３１を形成し、組み立てた後は、第１突き上げ面１１３１と第２突き上げ面１２３１とを互いに引き寄せて、第１留め金１１３と第２留め金１２３の弾性付勢力量を用いて、第１刃具１１が第２刃具１２に対して常時に弾性開き状態を形成する。もう一つは一体成形した留め金を用いること、図１Ｂに示すように、弾性素子１５を弧形留め金１７に形成して、第１刃具１１と第２刃具１２との間に取り付けられ、弧形留め金１７の両端はそれぞれ第１突き上げ部１７１と、第２突き上げ部１７２と、第３突き上げ部１７３とを形成していて、第１突き上げ部１７１と第２突き上げ部１７２はそれぞれ第１刃具１１と第２刃具１２の内面に突き上げていて、弧形留め金１７の弾性付勢力量を用いて、第１刃具１１が第２刃具１２に対して、常時に弾性開放状態を維持させ、第３突き上げ部１７３はそれぞれ２つの可動プレート１４の一側に突き上げて必要な弾性付勢力量を提供する。以上２種の実施態様は実務の需要に応じて適用することで、同じ効果が得られる。第１刃具１１と第２刃具１２が受力により互いに引き合わせた後に、膨張スプリング１１６の弾性付勢力量を用いて、もとの開放状態に戻すことができる。
【００１９】
第１保護カーバー１３はプラスチック部材を一体成形により仕上げられ、第１刃具１１の外部に覆っていて、第１保護カーバー１３の先端部は切り刃１１１に対応して少なくとも第１くし１３１を設けられ、第１くし１３１の端部に複数の第１くしの歯１３１１を成形しており、第１くしの歯１３１１の間には深さがそれぞれ異なる第１くしの溝１３１２を有する。特に説明したいことは、第１くし１３１の数は複数に設けることによって、複数回に屈折する効果を達成させ、各第１くし１３１は等間隔または非等間隔に設けることはできるが、等間隔設置することが好ましいである。さらに、施術するとき指を通すために、第１保護カーバー１３の上面に指穴１３２を設けられている。
【００２０】
一対の可動プレート１４は金属部材をプレスにより折り曲げ加工からなり、各可動プレート１４の中央部は第３枢設部１２４に対応して第４枢設部１４１を設けられ、可動プレート１４１はそれぞれ第３枢設部１２４にて自在に枢設していて、可動プレート１２４の一端は通り穴１４２と制限プレート１４３とを設けられ、もう一端は組付け部１４４を設け、第１刃具１１に備える一対の支えブロック１１４は対応して、一対の可動プレート１４の上側縁に突き上げて、協働を形成する。さらに、可動プレート１４は弧形を形成し、制限プレート１４３と組付け部１４４とをそれぞれ延ばして、各可動プレート１４の両面に設けられている。
弾性素子１５は第１刃具１１と第２刃具１２との間に設けられ、弾性素子１５の一端はそれぞれ一対の可動プレート１４に備える前記通り穴１４２に貫き、他端は前記第２刃具１２に固定していて、弾性付勢力量を利用して一対の可動プレート１４を上向きに突き上げる。
【００２１】
第２保護カーバー１６も同じくプラスチック部材を一体成形により仕上げられ、第２保護カーバー１６は一対の可動プレート１４に備える組付け部１４４の間に接続し、第２保護カーバー１６は収容溝１２１に対応して少なくとも一つの第２くし１６１を設けられ、第２くし１６１の端部には複数の第２くし１６１１を形成していて、第２くし１６１１の間には深さがそれぞれ異なる第２くしの溝１６１２有する。特に説明したいことは、第２くし１６１の数を複数に実施することはできるが、その数が第１くし１３１の数に対応しなければ、髪の毛を複数回に屈折する効果を形成されない、各第２くし１６１は等間隔または非等間隔に設けることはできるが、等間隔設置が好ましい。第１くし１３１と第２くし１６１は交差して間隔を置いて設置されている。
【００２２】
図３〜６、本考案の好ましい実施例による各動作の態様図と、図１とを併せて参照する。本考案のレイヤー感覚効果が得られるヘアトリマー１を使用するときは、図３に示すように、まず第１刃具１１と第２刃具１２は第１留め金１１３と第２留め金１２３の弾性付勢力量を用いて開いておき、髪の毛２を第１刃具１１と第２刃具１２との間に取り付けて置き、支えブロック１１４はそれぞれ一対の可動プレート１４の移動パスに位置するように維持される。図４に示すように、引き続き第１保護カーバー１３と、第２刃具１２とを操作して相互の引き合わせ運動を形成し、一対の支えブロック１１４を通じて協働させ、一対の可動プレート１４の一端は下方に押し下げて、各可動プレート１４の制限プレート１４３が第２固定穴１２６の内部にて下方に移動し、枢設場所を支点として、一対の可動プレート１４のもう一端、つまり第２保護カーバー１６の一端に突き上げて行く。図５に示すように、第２保護カーバー１６と第１保護カーバー１３とを互いに突き上げた後に、髪の毛２を屈折してその内部に固定すると共に、第１係止部１１１１と第２係止部１１２１とも互いに突き上げを形成して、切り刃１１１によって、髪の毛２を押し出して均一に収容溝１２１の内部に分散させる。図６に示すように、第１保護カーバー１３と第２刃具１２に力を加えて、切除動作を継続し、一対の可動プレート１４に備える一対の制限プレート１４３が第２固定穴１２６内部での位置が突起部１２６１の位置に移動されると、一対の制限プレート１４３が一対の突起部１２６１に沿ってはいあがることによって、外部に位置する一対の可動プレート１４はそれぞれ第２刃具１２に備える２つの側壁に近づけて移動し、一対の支えブロック１１４の間に段差を形成して、一対の可動プレート１１４は引き続き一対の可動プレート１４の上側縁に突き上げて交差運動を形成すると同時に、切り刃１１１と収容溝１２１とを引き合わせて、髪の毛２を切除し、第１くし１３１と第２くし１６１にて形成された深さが異なる第１くしの溝１３１２と第２くしの溝１６１２を用いて、浅い第１くしの溝１３１２と第２くしの溝１６１２のところにある髪の毛の屈折度を小さく、深い第１くしの溝１３１２と第２くしの溝１６１２のところにある髪の毛の屈折度を大きくすることによって、カットした後の髪の毛は自然に長さが異なるレイヤー感覚を形成される。
【００２３】
引き続き、図７ないし１０、本考案の好ましい実施例において、異なる段数の第１保護カーバー１３と第２保護カーバー１６を使用したとき、髪の毛の屈折状態を示す図と、各段の第１保護カーバー１３と第２保護カーバー１６によって切除された後の髪の毛の長さ比較図を参照し、図１Ａも併せて参照する。図に示すように、本考案のレイヤー感覚効果が得られるヘアトリマー１は異なる数の第１くし１３１と第２くし１６１の第１保護カーバー１３と第２保護カーバー１６とを用いて、切除した髪の毛２の長さも異なることが分かる。図７、１段式の第１くし１３１と第２くし１６１の実施態様を参照する。髪の毛２を１回に屈折させ、同じく異なる深さの第１くしの溝１３１２と第２くしの溝１６１２によって異なる屈折度が得られる。よって、切除した後の髪の毛が自然に異なる長さのレイヤー感覚を形成される。図８、２段式の第１くし１３１と第２くし１６１の実施態様を参照する。第１くし１３と第２くし１６の２パスを経て、髪の毛２は異なる深さの第１くしの溝１３１２と第２くしの溝１６１２によって、２回連続の屈折を経て、髪の毛２の屈折度はより大きく、１段式によって切除した髪の毛２の長さの違いに比べて、２段式の方がより際立つ、より大きいである。図９、３段式の第１くし１３と第２くし１６の実施態様を参照する。同じく、髪の毛２が連続３回の屈折を経て、その屈折度は２段式より大きくなる。よって、図１０から分かるように、髪の毛２が異なる段数の第１くし１３と第２くし１６によって、切除した後の髪の毛２の長さがより際たち、その差異度は３段＞２段＞１段となっており、すなわち、段感覚がより際たつ。
【符号の説明】
【００２４】
１  レイヤー感覚効果が得られるヘアトリマー
１１  第１刃具
１１１  切り刃
１１１１  第１係止部
１１２  第１枢接部
１１３  第１留め金
１１３１  第１突き上げ面
１１４  支えブロック
１１５  制限ブロック
１１６  膨張スプリング
１２  第２刃具
１２１  収容溝
１２１１  第２係止部
１２２  第２枢接部
１２３  第２留め金
１２３１  第２突き上げ面
１２４  第３枢設部
１２５  第１固定穴
１２６  第２固定穴
１２６１  突起部
１３  第１保護カーバー
１３１  第１くし
１３１１  第１くしの歯
１３１２  第１くしの溝
１３２  指穴
１４  可動プレート
１４１  第４枢接部
１４２  通り穴
１４３  制限プレート
１４４  組付け部
１５  弾性素子
１６  第２保護カーバー
１６１  第２くし
１６１１  第２くしの歯
１６１２  第２くしの溝
１７  弧形留め金
１７１  第１突き上げ部
１７２  第２突き上げ部
１７３  第３突き上げ部
２  髪の毛
【図１Ａ】
0003184833.tif 000003
【図１Ｂ】
0003184833.tif 000004
【図２】
0003184833.tif 000005
【図３】
0003184833.tif 000006
【図４】
0003184833.tif 000007
【図５】
0003184833.tif 000008
【図６】
0003184833.tif 000009
【図７】
0003184833.tif 000010
【図８】
0003184833.tif 000011
【図９】
0003184833.tif 000012
【図１０】
0003184833.tif 000013